(57)【要約】【課題】  本発明は、拡縮機構を有した片持構造の円弧片の強度不足を補うことで、内径が小さい巻鉄心の製作を製作可能にした巻鉄心製造装置を提供する。【解決手段】  基端部が拡縮機構Ｋで支持されているセグメントドラムＳの周りに帯材ブロック３を巻き取るときには、セグメントドラムＳを構成する複数の円弧片１の先端部Ｈは支持軸７によって内側から支持される。巻き取った巻鉄心Ｍは、支持軸７による支持を解除することでセグメントドラムＳから取り外すことができる。両端支持構造によってセグメントドラムＳの強度を確保することができるので、円弧片１の肉厚Ｔを薄くでき、結果的にセグメントドラムＳを縮小化して小径の巻鉄心Ｍを製作することができる。支持軸７は任意に外径を可変できる多段筒軸や円錐軸とすることで、セグメントドラムＳを所定の巻取径に合せることも可能である。【選択図】        図１
2005353711.tif 000002
【特許請求の範囲】
【請求項１】
複数の円弧片を基端側で径方向に移動可能に支持されるセグメントドラムと、前記各円弧片を径方向に移動させて前記セグメントドラムを拡縮させる拡縮機構と、前記セグメントドラムの回りに帯材ブロックを巻き付けるベルトとを備え、前記円弧片の先端部の径方向内方に、前記ベルトのテンションによって中心側に向かって撓もうとする前記円弧片の先端部を支持すると共に前記セグメントドラムから前記帯材ブロックを取り出す際に前記円弧片から当接解消可能な支持軸を設けたことから成る巻鉄心製造装置。
【請求項２】
前記支持軸は、前記円弧片の前記先端部から前記セグメントドラムの内部に対して、前記先端部を支持する進出位置と前記先端部との当接が解消される後退位置との間で進退可能であることから成る請求項１に記載の巻鉄心製造装置。
【請求項３】
前記支持軸は軸線方向位置に応じて変化する外径を持つ異径軸であり、前記セグメントドラムの内部に対する前記中間軸の軸方向位置を変更することにより、拡縮された前記セグメントドラムの前記円弧片の前記先端部を支持することから成る請求項１に記載の巻鉄心製造装置。
【請求項４】
前記異径軸は、前記外径が段階的に変化する多段筒軸であることから成る請求項３に記載の巻鉄心製造装置。
【請求項５】
前記異径軸は、前記外径が連続的に変化する円錐軸であることから成る請求項３に記載の巻鉄心製造装置。
【請求項６】
前記円弧片の前記先端部は、前記異径軸の外径が最小径にあるときに円筒面に一致する内側面を持ち、前記異径軸の外径を最大径に近づけるときに前記円弧片の前記先端部が前記異径軸に当接する部分を前記円弧片の周方向両端を含む２ヶ所以上とすることから成る請求項１に記載の巻鉄心製造装置。
【発明の詳細な説明】
【技術分野】
【０００１】
この発明は、巻鉄心製造装置に係り、重ね合わされた複数の帯材からなる帯材ブロックをセグメントドラムに巻き取ることで巻鉄心を製造する巻鉄心製造装置に関する。
【背景技術】
【０００２】
セグメントドラムに帯材ブロックを巻き付けることによる巻鉄心の製造装置の一例として、例えば、変圧器用の巻鉄心の製造装置であって、図１０に示すように、セグメントドラムＳを構成する同一径の円周上に配列された複数の円弧片１（一部のみを符号で示す）を巻鉄心Ｍの内径に応じて拡縮する拡縮機構Ｋと、セグメントドラムＳの周囲に配設され且つベルト１３で駆動される帯材ブロック（数枚の帯状材を重ねてブロック状にしたもの）３のための複数のガイドローラ１２，１８と、帯材ブロック３の搬送機構とを備えた製造装置がある（特許文献１参照）。この製造装置によれば、セグメントドラムＳの周方向に重ね合わせて帯材ブロック３をガイドローラ１２、１８で案内しつつ複数個層状に巻き取ることで、巻鉄心Ｍが製造される。なお、セグメントドラムＳは巻取りテーブル６と組み合わされており、帯材ブロック３は巻取りテーブル６で巻き取られる。
【０００３】
拡縮式のセグメントドラムＳに巻装されたベルト１３は、セグメントドラムＳに近設した位置に置かれたローラ１８，１２に巻き掛けられており、帯材ブロック３はそうしたローラ１８、１２の間に挿入され、挿入された帯材ブロック３はベルト１３に押えられながらセグメントドラムＳに順次巻かれ、巻鉄心Ｍが製造される。ベルト１３の巻締め力は、テンション装置１４によって与えられる。
【０００４】
図１１は、図１０においてセグメントドラムＳを矢印Ａ方向から見た断図面である。また、図１２は、図１１に示すセグメントドラムＳに巻取りテーブル６を組み合わせて、巻鉄心Ｍを製造している状態を示す断面図である。図１０で説明済みの事項については、重複する説明を省略する。図１２に示すように、巻取りテーブル６は、Ｘ軸駆動機構５Ｘ及びＹ軸移動機構５ＹによりＸ及びＹ方向に移動することができる。セグメントドラムＳは、巻取りテーブル６の中心にある突起部６ａが拡縮機構Ｋと一体とされたガイド４と嵌合した状態に置かれる。そのため、巻取りテーブル６のＸＹ方向移動の際に巻取りテーブル６から外れることがない。拡縮機構Ｋは、傘歯車を介して回転されるねじ軸が各円弧片１に設けられたナットと螺合させて構成されており、そのねじ動作によって各円弧片１を径方向に移動させることができる。セグメントドラムＳは、巻鉄心Ｍの内径に合せて拡縮機構Ｋにより拡縮されて自動的にセットされる。また、完成品の巻鉄心ＭはセグメントドラムＳを拡縮機構Ｋで縮小することにより、抜き取って外部に取り出すことができる。
【０００５】
上記公報に開示されている巻鉄心製造装置において、セグメントドラムＳを拡縮構造に構成するために、図１４に示すように、帯材ブロック３が巻かれる複数の円弧片１は、ベース１５に対して直動ベアリング１６を介して径方向に可動となっているので、ベース１６側から先端側へ延びる片持構造となっている。したがって、巻取りテーブル６側に位置する先端部Ｈでの撓み量δは、図１４中に掲載する式で示すように、Ｌの長さ、断面の形状、材質、荷重により大きく左右されるが、大きな値になる傾向がある。なお、この式中、Ｗはベルト１３のテンション力、Ｅは円弧片１の材料のヤング率、Ｉは円弧片１の断面二次モーメントである。
【０００６】
セグメントドラムＳに巻かれた帯材ブロック３は、図１３に復元力ｂ、ｂ’で示すように、元の形である直線状に戻ろうとする。このときの力（スプリングバック）を抑制するため、帯材ブロック３をベルト１３（図１０参照）で挟持しながらセグメントドラムＳに巻きつけていくが、復元力ｂ、ｂ’は巻取り径ｄが小さければ小さいほど大きく、ベルト１３による挟持力は４０００Ｎを超える大きな力とすることが必要となる。また、帯材ブロック３の端部間には適正な値のギャップがあることによって、ベルト１３による挟持力の大きさは巻鉄心の電磁特性にも大きく作用することから、この力をセグメントドラムＳがすべて片持で受けても径が変わらないように設計する必要があり、複数の円弧片１の厚さや形状及びその拡縮機構Ｋを頑丈な構造にする必要がある。しかしながら、セグメントドラムＳを頑丈に構成すると、円弧片１が大きくなり、セグメントドラムＳの縮小時に円弧片１同士が相互に干渉して、セグメントドラムＳの最小径を十分小さくすることが困難になるという問題がある。
【０００７】
このように、円弧片が片持構造となっているセグメントドラムにおいては、円弧片がベルトの締付け力で撓むことから、円弧片の肉厚を厚くして強度を確保する必要がある。ところが、巻取り径を小径にすると、円弧片同士が互に干渉するという物理的な問題を生じるので、小さい径の巻鉄心を製造することができなくなる。
【特許文献１】特開平１１−９７２６９号公報（段落［０００９］〜［００１０］、図１）
【発明の開示】
【発明が解決しようとする課題】
【０００８】
そこで、円弧片からなり拡縮可能なるセグメントドラムを備える巻鉄心製造装置においては、巻取り径を小径にしたときの円弧片同士の干渉は円弧片が片持構造であることに起因していることに着目して、セグメントドラムを構成する円弧片を両端支持構造としつつ巻鉄心取出し時には先端部の支持を解消可能にする点で解決すべき課題がある。
【０００９】
この発明の目的は、セグメントドラムを構成する円弧片を帯材ブロックの巻取り時には両端支持構造とし、円弧片の厚みについては可能な限り薄くし、小さい径の巻鉄心を製造することを可能にすると共に、帯材ブロックの巻取り完了に伴う巻鉄心のセグメントドラムからの取出しを容易にした巻鉄心製造装置を提供することである。
【課題を解決するための手段】
【００１０】
以上の課題を解決するため、この発明による巻鉄心製造装置は、複数の円弧片を基端側で径方向に移動可能に支持されるセグメントドラムと、前記円弧片を径方向に移動させて前記セグメントドラムを拡縮させる拡縮機構と、前記セグメントドラムの回りに帯材ブロックを巻き付けるベルトとを備え、前記円弧片の先端部の径方向内方に、前記ベルトのテンションによって中心側に向かって撓もうとする前記円弧片の先端部を支持すると共に前記セグメントドラムから前記帯材ブロックを取り出す際に前記円弧片から当接解消可能な支持軸を設けたことから成っている。
【００１１】
この巻鉄心製造装置によれば、セグメントドラムは複数の円弧片が基端側で径方向に移動可能に支持されているので、拡縮機構によって円弧片を径方向に移動させることによって、セグメントドラムは巻鉄心の内径に応じて径方向に拡縮される。幾層かの重ねられた帯体から成る帯材ブロックは、内径が定められたセグメントドラム上にベルトによって巻き付けられる。円弧片は、帯材ブロックの巻取り時には、その先端部が支持軸によって支持されているので、基端側での拡縮機構との支持と合わせて両端支持構造となっている。円弧片はベルトによる帯材ブロックの巻き取り時にそのテンションによって中心側に向かって撓もうとするが、この両端支持構造によって円弧片の先端部での撓みをも未然に防止することができる。また、ベルトによる締まりで、セグメントドラムの円弧片は周方向の両端部同士を突き当たることになり、セグメントドラムの強度を高めることができる。更に、支持軸が円弧片から当接解消可能であるので、セグメントドラム上に巻き付けられた帯材ブロックから成る巻鉄心の取出し時には、円弧片の先端部の支持が解消される。このとき、セグメントドラムの縮小が可能になって、セグメントドラムと巻鉄心との間に隙間が形成されるので、巻鉄心をセグメントドラムから取り出すことが容易になる。このように、円弧片の先端部が支持軸に突き当たった位置をセグメントドラム外径と巻鉄心の内径に合せておくことで、セグメントドラムが片持構造であることによる強度不足を解消し、円弧片を両持ち構造として小径の巻鉄心をも製作することが可能になる。
【００１２】
この巻鉄心製造装置において、前記支持軸を、前記円弧片の前記先端部から前記セグメントドラムの内部に対して、前記先端部を支持する進出位置と前記先端部との当接が解消される後退位置との間で進退可能とすることができる。支持軸をこのようにセグメントドラムの内部に対して進退可能とすることで、進出位置にある支持軸に円弧片が当たったときにセグメントドラムの円弧片を拡縮し、支持軸の径寸法に合せて巻鉄心の内径を定めることができる。
【００１３】
この巻鉄心製造装置において、前記支持軸を軸線方向位置に応じて変化する外径を持つ異径軸とし、前記セグメントドラムの内部に対する前記支持軸の軸方向位置を変更することにより、拡縮された前記セグメントドラムの前記円弧片の前記先端部を支持する構成とすることができる。支持軸を軸線方向位置に応じて変化する外径を持つ異径軸とすることで、進出位置に応じて、支持軸の軸方向位置が変更され、セグメントドラムの円弧片の先端部を支持する支持軸の径寸法に合せて巻鉄心の内径を定めることができる。
【００１４】
支持軸を異径軸とした巻鉄心製造装置において、前記異径軸を、前記外径が段階的に変化する多段筒軸とすることができる。異径軸を多段筒軸とすることで、支持軸の進出位置を段階的に選択することにより、セグメントドラムの円弧片の先端部をその選択された段差の円筒形状部分に支持させて、支持軸の径寸法に合せて巻鉄心の内径を段階的に定めることができる。
【００１５】
支持軸を異径軸とした巻鉄心製造装置において、前記異径軸を、前記外径が連続的に変化する円錐軸とすることができる。異径軸を円錐軸とすることで、支持軸の進出位置を任意に選択することにより、セグメントドラムの円弧片の先端部を円錐軸の任意の径部分に支持させて、支持軸の径寸法に合せて巻鉄心の内径を無段階的、即ち、連続的に定めることができる。
【００１６】
この巻鉄心製造装置において、前記円弧片の前記先端部は、前記異径軸の外径が最小径にあるときに円筒面に一致する内側面を持ち、前記異径軸の外径を最大径に近づけるときに前記円弧片の前記先端部が前記異径軸に当接する部分を前記円弧片の周方向両端を含む２ヶ所以上とすることができる。支持軸の径が小さい場合に、セグメントドラムを収縮させて円弧片の先端部を支持軸に当接させるときに、すべての円弧片について繋いで形成される内側面を円筒面に一致させるように設定する。そこから支持軸を大きい径に拡大した場合に、それに対応してセグメントドラムを拡大した上で円弧片を支持軸に突き当てるときには、円弧片の円弧部の両端が支持軸に接触し、ベルトによる帯材ブロックの締付け時にセグメントドラム及び巻鉄心の安定した支持が得られる。
【発明の効果】
【００１７】
本発明によれば、セグメントドラムを構成する複数の円弧片を両端支持としたので、小径の巻鉄心をセグメントドラムの撓み無しで且つ巻鉄心内径不良無しで製造することができる。また、円弧片を両端支持とすることによって片持ち状態と比較して円弧片の大型化が必要でなくなるので、セグメントドラムの拡縮が小径でも可能になり、巻鉄心の内径が変わっても自動で拡縮製作できる範囲が広がり、結果的に巻鉄心製作の大幅な工数が削減できるばかりか、変圧器等の適用機器において大幅なコストダウンを図ることができる。
【発明を実施するための最良の形態】
【００１８】
以下、図面を参照して、この発明による巻鉄心製造装置の実施例を説明する。図１は、この発明による巻鉄心製造装置の一実施例の概略構造を示す断面図である。図１に示す巻鉄心製造装置においては、図１４に示すその構成要素と同等の機能を奏するものについては、図１４において付した符号と同じ符号を付すことで再度の詳細な説明を省略する。図１に示すように、巻取りテーブル６の中心部には、矢印で示すようにセグメントドラムＳの内部に向かって上下方向に進退可能な支持軸７が設けられている。セグメントドラムＳを構成する各円弧片１は、基端側では拡縮機構Ｋによって径方向に移動可能に支持されており、同一円周上に配列される態様で一斉に移動する。各円弧片１は、先端部Ｈにおいては突き当て駒８を介して支持軸７の外周面に支えられており、縮小方向の撓みが制限されている。この構造によれば、各円弧片１は、基端側と先端部Ｈとで支持された両端支持構造となる。ベルト１３で帯材ブロック３を締め付けても、セグメントドラムＳの先端部Ｈは突き当て駒８を介して支持軸７に停止されるため、セグメントドラムＳが縮まらない。円弧片１は、帯材ブロック３が巻取りテーブル６に搭載されるときに、円弧片１の先端部Ｈに力点があることで更に条件が良くなり、撓みを最小限にすることができる。このような両端支持構造によって、拡縮機構Ｋや円弧片１の厚さＴを薄くすることができ、収縮状態のセグメントドラムＳの径を従来の片持ち構造と比較して小さくすることができる。したがって、小径の巻鉄心を製作することが可能である。
【００１９】
図１に示す実施例の使用形態は次のとおりである。予め、拡縮機構ＫによりセグメントドラムＳの突き当て駒８の内径Ｊ’を支持軸７の径Ｊに合せておき、巻取りテーブル６にセグメントドラムＳをセットする。その状態で、支持軸７を上昇させてセグメントドラムＳ内に挿入させ、セグメントドラムＳと支持軸７とを固定する。こうした設定がされた後、帯材ブロック３がベルト１３で挟持しながら巻き取られる。図１に示す方式では、支持軸７は適宜の手段によって巻取りテーブル６から取外し可能である。帯材ブロック３のセグメントドラムＳへの巻取りが完了すると、支持軸７を巻取りテーブル６から取り外すことで、拡縮機構ＫによってセグメントドラムＳを縮小させることができる。帯材ブロック３が巻き取られた巻鉄心の内周面と、縮小したセグメントドラムＳの外周面との間には隙間が形成されるので、セグメントドラムＳからの巻鉄心の取外しが容易になる。
【００２０】
図２は、この発明による巻鉄心製造装置に用いられるセグメントドラムの一例を示す斜視図である。隣り合う円弧片１同士に、互いに嵌合する継ぎ部９が形成されている。帯材ブロックをベルトによって巻き締める時に、円弧片１同士が噛み合い、セグメントドラムＳの剛性を高めているとともに、セグメントドラムＳの拡張時に、図１０に示すガイドローラ１２が円弧片１，１間の隙間に落ち込むのを防止している。図３は、この発明による巻鉄心製造装置に用いられるセグメントドラムの別の例Ｓ’を示す斜視図である。セグメントドラムＳ’の各円弧片１’は、隣合う同士の間で嵌合する継ぎ部を構成しないストレートな形状とされている。
【００２１】
上記の取り外し方式においては、支持軸７を着脱式とし、頻繁に機種替えを行わない場合には、径の異なる支持軸に取り換えることで巻鉄心の内径の変更に対応することができる。しかしながら、支持軸７の外径が固定となることから、選択された支持軸７では一つの径にしか対応できない。そこで支持軸７を異型の段差構造や円錐状にすることで、少なくとも２つ以上の径に対応させることが可能である。図４及び図５は、この発明による巻鉄心製造装置の別の実施例を示す概略断面図である。図４又は図５に示す巻鉄心製造装置はセグメントドラムＳの突き当て駒８が当接する支持軸の外径を変更可能とした例であるが、図１に示すその構成要素と同等の機能を奏するものについては、図１において付した符号と同じ符号を付すことで再度の詳細な説明を省略する。図４又は図５に示す巻鉄心製造装置は、支持軸の径を可変とすることにより、多くの径に対応可能な例である。
【００２２】
図４（ａ）は巻鉄心製造装置の断面図であり、同（ｂ）は支持軸の拡大図である。図４に示す実施例では、セグメントドラムＳの円弧片１の支持構造は、予め段差をつけた円筒形の支持軸１０と、支持軸１０を昇降させるためのモータ１１ａ及びねじ１１ｂを含む昇降手段１１とを備えている。この例における支持軸１０は、軸線方向位置に応じて変化する外径を持つ異径軸として、外径が段階的に変化する多段筒軸である。図４（ｂ）に示すように、支持軸１０は三つの径Ｃ１、Ｃ２、Ｃ３を階段状に有する多段筒軸に形成されている。昇降手段１１のモータ１１ａを駆動してねじ１１ｂを作動させることにより、セグメントドラムＳの内部に対する支持軸１０の軸方向位置が変更され、円弧片１を縮小して突き当たった位置のセグメントドラムＳの外径φＣを巻鉄心の内径とすれば、径Ｃ１、Ｃ２、Ｃ３に対応して、多種（３種類）の巻取径の設定が可能である。なお、径の種類については、３種類に限らず２種類又は４種類以上に設定することが可能であることは明らかである。このような支持軸１０を採用することにより、巻取径の小さい巻鉄心でも円弧片１を拡縮させたセグメントドラムＳで巻鉄心を製作することができる。
【００２３】
図５は、この発明による巻鉄心製造装置の更に別の実施例の要部を示す断面概略図である。図５に示す巻鉄心製造装置は、セグメントドラムＳと支持軸２０及びその昇降手段１１から成る要部のみを示している。この巻鉄心製造装置においては、支持軸２０は、異径軸の一形態として、外径が連続的に変化する円錐軸に構成されている。図４（ａ）に示すようなモータ１１ａとねじ１１ｂから成る昇降手段１１を駆動することによって、支持軸２０のセグメントドラムＳの内部に対する進出位置（高さ位置）を制御することができる。図４に示す実施例においては支持軸１０の当接径が多段階調節であったのに比較して、図５に示す実施例においては、支持軸２０の位置制御によって、セグメントドラムＳの円弧片１が支持軸２０に当接する位置の径を無段階に変更することができ，小さい径に至るまでよりきめ細かな巻取径を持つ巻鉄心を製作することができる。
【００２４】
図６及び図７は、この発明による巻鉄心製造装置の更に別の実施例の異なる使用状態を示す概略図である。図６及び図７に示す巻鉄心製造装置においては、支持軸は図４に示す巻鉄心製造装置に用いられている支持軸と段数が異なる外は同じ型式のものである。図６（ａ）及び図７（ａ）はセグメントドラムの円弧片の先端部の位置で切断した横断面図、図６（ｂ）及び図７（ｂ）は要部の縦断面図である。図６に示す状態では、セグメントドラムＳの各円弧片１の先端部Ｈは、支持軸３０の外径が最小径となっている円筒軸部３０ａに当接している。このとき、円弧片１の先端部Ｈの内周面は丁度真円になるように設定されている。したがって、図６（ａ）に示すように、円弧片１の先端部Ｈと円筒軸部３０ａとは、互いに隙間なく当接している。図７に示す状態では、セグメントドラムＳは拡張し、セグメントドラムＳの各円弧片１の先端部Ｈは、支持軸３０の外径がより大径の円筒軸部３０ｂに当接している。このとき、図７（ｂ）に断面で示すように、各円弧片１は、その円弧部の両端１ａ，１ａ（簡素化のため、一部の円弧片にのみ示す）の２ヶ所で支持軸３０ｂに接触するので、各円弧片１は支持軸３０に対してぐらつくことなく安定して支持される。
【００２５】
支持軸の径とセグメントドラムＳの径については、円弧片１の先端部Ｈの内周面が丁度真円になるときを逆に設定すると、図８及び図９に示すようにセグメントドラムＳの支持軸３０への支持が不安定になる。図８（ａ）及び図９（ａ）はセグメントドラムの円弧片の先端部の位置で切断した横断面図、図８（ｂ）及び図９（ｂ）は要部の縦断面図である。図９（ａ）及び（ｂ）に示すように、円弧片１が支持軸３０の最も大径の円筒軸部３０ｂに突き当たった時に円弧片１の先端部Ｈの内周面を真円に合せると、図８（ａ）及び（ｂ）に示すように、円弧片１の先端部Ｈを小径の円筒軸部３０ａに合せたときに、円弧片１は円筒軸部３０ａの頂点１ｂである１ヶ所のみに当たる。円弧片１はその頂点１ｂを中心に円周方向に回転する力を抑制できず、支持軸３０に対して不安定な支持となる。
【００２６】
本発明による巻鉄心製造装置は、上記のように、従来の円弧片が片持ち構造となっている巻鉄心製造装置では、セグメントドラムＳの剛性を強化させなければ、帯材ブロックを丸巻形状とするためにベルト１３による強い挟持力で保持していたことに起因してセグメントドラムＳが撓んで円錐形状による巻鉄心内径不良やセグメントドラムＳの破損を生じていたが、本発明による円弧片を両持構造とした巻鉄心製造装置では、これらの不具合を防止することができると共に巻き取った巻鉄心をセグメントドラムＳから離脱させやすくなる。更に、従来の巻鉄心製造装置では、ベルト１３の挟持力に負けない様にするため円弧片１の強度を高めたり厚さを増やすなどをすると、円弧片１同士が干渉し、小径にすることができなかったのに対して、本発明による巻鉄心製造装置では円弧片１の先端部Ｈに支持軸を設けて円弧片１を両持構造とすることで、円弧片１の肉厚を薄くし強度を最小限とすることが可能になり小径の巻鉄心を製造することができる。
【００２７】
本発明による巻鉄心製造装置では、特に、巻取りテーブル６の中心に任意の段差の円筒形状または連続して外径が変化する円錐形状の支持軸を設けその支持軸を昇降構造とした場合には、昇降位置の支持軸の外径に対して、セグメントドラムＳを拡縮しその支持軸の寸法に合せておき、ベルト１３による締まりでセグメントドラムＳの円弧片１の先端部を支持軸に突き当て、支持軸に突き当たった位置をセグメントドラムＳ外径と巻鉄心の内径に合せて両持ち構造とすることで、片持構造による円弧片１の強度不足を解消し、円弧片１の支持軸への支持を安定化し、その結果、小径の巻鉄心を製作することができる。また、支持軸を自動昇降することなく、予めその機種対応として専用に支持軸を決めてそれらを適宜必要な個数を用意しておき、巻取りテーブル６の中心部に手作業で脱着する方法でも、円弧片１が両持構造となるセグメントドラムを得ることができ、小径の巻鉄心製作が可能である。本発明は、特に、小径巻鉄心の自動製作を可能にした変圧器の巻鉄心製造装置に好適である。
【図面の簡単な説明】
【００２８】
【図１】この発明による巻鉄心製造装置の一実施例の概略構造を示す断面図。
【図２】図１に示す巻鉄心製造装置の外観を示す斜視図。
【図３】別の形態をした円弧片を持つ巻鉄心製造装置の外観を示す斜視図。
【図４】この発明による巻鉄心製造装置の別の実施例を示す概略断面図。
【図５】この発明による巻鉄心製造装置の別の実施例の要部を示す断面概略図。
【図６】この発明による巻鉄心製造装置の他の実施例の更に要部を示す図。
【図７】図６に示す巻鉄心製造装置の別の使用状態を示す図。
【図８】セグメントドラムの設定についての縮小時の説明図。
【図９】セグメントドラムの設定についての拡大時の説明図。
【図１０】従来の巻鉄心製造装置の一例を示す平面図。
【図１１】図１０に示す従来の巻鉄心製造装置用いられるセグメントドラムの単品断面図。
【図１２】図１０に示す従来の巻鉄心製造装置用いられるセグメントドラムの鉄心巻き断面図。
【図１３】図１０に示す従来の巻鉄心製造装置における鉄心工程図。
【図１４】従来のセグメントドラムの変形を説明する説明図。
【符号の説明】
【００２９】
１，１’：円弧片
１ａ，１ａ：円弧片１の両端
１ｂ：円弧片１の頂点
３：帯材ブロック
４：ガイド
５Ｘ：Ｘ軸駆動機構
５Ｙ：Ｙ軸駆動機構
６：巻取りテーブル
７，１０，２０，３０：支持軸
８：突き当て駒
９：継ぎ部
１１：昇降手段
１１ａ：モータ
１１ｂ：ねじ
１２，１８：ローラ
１３：ベルト
Ｓ，Ｓ’：セグメントドラム
Ｋ：拡縮機構
Ｍ：巻鉄心
Ｈ：先端部
φＣ：セグメントドラム外径
Ｃ１，Ｃ２，Ｃ３：支持軸外径
Ｊ：支持軸の径
Ｊ’：突き当て駒８の内径
３０ａ：円筒軸部
３０ｂ：円筒軸部
【図１】
2005353711.tif 000003
【図２】
2005353711.tif 000004
【図３】
2005353711.tif 000005
【図４】
2005353711.tif 000006
【図５】
2005353711.tif 000007
【図６】
2005353711.tif 000008
【図７】
2005353711.tif 000009
【図８】
2005353711.tif 000010
【図９】
2005353711.tif 000011
【図１０】
2005353711.tif 000012
【図１１】
2005353711.tif 000013
【図１２】
2005353711.tif 000014
【図１３】
2005353711.tif 000015
【図１４】
2005353711.tif 000016